(57)【特許請求の範囲】
【請求項１】
炭素を含有する燃料をガス化して生成ガスとするガス化炉本体と該ガス化炉本体に設けられて冷却媒体が導かれる冷却媒体壁とを有する炭素含有燃料ガス化炉と、
前記生成ガスを燃焼して燃焼ガスとする燃焼器と、
該燃焼器にて生成された前記燃焼ガスによって回転駆動されるガスタービンと、
該ガスタービンが回転駆動することによって発電する発電手段と、
を備え、
前記炭素含有燃料ガス化炉は、前記冷却媒体壁に導かれた前記冷却媒体の吸熱量に応じて、前記燃料の供給量が制御されることを特徴とするガスタービン発電プラントの制御方法。
【請求項２】
前記吸熱量の変化は、吸熱量と相関関係にある因子から求められることを特徴とする請求項１に記載のガスタービン発電プラントの制御方法。
【請求項３】
前記吸熱量と相関関係にある因子は、前記冷却媒体が導かれる前記冷却媒体壁の入口又は出口の前記冷却媒体流量、前記冷却媒体壁の入口及び出口の前記冷却媒体温度、並びに前記冷却媒体壁の入口及び出口の前記冷却媒体圧力であることを特徴とする請求項２に記載のガスタービン発電プラントの制御方法。
【請求項４】
前記ガス化炉本体と接続される蒸気ドラムを有し、
前記吸熱量と相関関係にある因子は、前記蒸気ドラムの入口給水流量又は出口蒸気流量、前記蒸気ドラムの入口給水温度及び出口蒸気温度、並びに前記蒸気ドラムの入口給水圧力及び出口蒸気圧力であることを特徴とする請求項２に記載のガスタービン発電プラントの制御方法。
【請求項５】
前記蒸気ドラムの水位レベル及び圧力が制御され、
前記蒸気ドラムの入口給水流量又は前記蒸気ドラムの出口蒸気流量を吸熱量として扱うことができることを特徴とする請求項４に記載のガスタービン発電プラントの制御方法。
【請求項６】
前記ガス化炉本体のガスの流路に冷却媒体が流れるガス化炉熱交換部を有し、
前記吸熱量と相関関係にある因子は、前記ガス化炉熱交換部の入口の給水流量又は出口の蒸気流量、前記ガス化炉熱交換部の入口及び出口の温度、並びに前記ガス化炉熱交換部の入口及び出口の圧力であることを特徴とする請求項２に記載のガスタービン発電プラントの制御方法。
【請求項７】
前記吸熱量の変化を該吸熱量の実測値と該吸熱量の設定値を比較及び演算によって検知し、発熱量補正係数を算出し、算出された前記発熱量補正係数に基づいて、前記燃料の供給量が制御されることを特徴とする請求項１に記載のガスタービン発電プラントの制御方法。
【請求項８】
前記吸熱量の設定値は、運転負荷に対する関数であることを特徴とする請求項７に記載のガスタービン発電プラントの制御方法。
【請求項９】
前記運転負荷は、プラント負荷指令、発電機出力指令又はガス化炉負荷指令であることを特徴とする請求項８に記載のガスタービン発電プラントの制御方法。
【請求項１０】
炭素を含有する燃料をガス化して生成ガスとするガス化炉本体と該ガス化炉本体に設けられて冷却媒体が導かれる冷却媒体壁とを有する炭素含有燃料ガス化炉と、
前記生成ガスを燃焼して燃焼ガスとする燃焼器と、
該燃焼器にて生成された前記燃焼ガスによって回転駆動されるガスタービンと、
該ガスタービンが回転駆動することによって発電する発電手段と、
前記炭素含有燃料ガス化炉に供給される前記燃料の供給量を、前記冷却媒体壁に導かれた前記冷却媒体の吸熱量に応じて制御する制御手段と、
を備えることを特徴とするガスタービン発電プラント。
【請求項１１】
炭素を含有する燃料をガス化して生成ガスとするガス化炉本体と該ガス化炉本体に設けられて冷却媒体が導かれる冷却媒体壁とを有する炭素含有燃料ガス化炉を備え、
前記炭素含有燃料ガス化炉は、前記冷却媒体壁に導かれた前記冷却媒体の吸熱量に応じて、前記燃料の供給量が制御されることを特徴とする炭素含有燃料ガス化炉の制御方法。
【請求項１２】
前記吸熱量の変化は、吸熱量と相関関係にある因子から求められることを特徴とする請求項１１に記載の炭素含有燃料ガス化炉の制御方法。
【請求項１３】
前記吸熱量と相関関係にある因子は、前記冷却媒体が導かれる前記冷却媒体壁の入口又は出口の前記冷却媒体流量、前記冷却媒体壁の入口及び出口の前記冷却媒体温度、並びに前記冷却媒体壁の入口及び出口の前記冷却媒体圧力であることを特徴とする請求項１２に記載の炭素含有燃料ガス化炉の制御方法。
【請求項１４】
前記ガス化炉本体と接続される蒸気ドラムを有し、
前記吸熱量と相関関係にある因子は、前記蒸気ドラムの入口給水流量又は出口蒸気流量、前記蒸気ドラムの入口給水温度及び出口蒸気温度、並びに前記蒸気ドラムの入口給水圧力及び出口蒸気圧力であることを特徴とする請求項１２に記載の炭素含有燃料ガス化炉の制御方法。
【請求項１５】
前記蒸気ドラムの水位レベル及び圧力が制御され、
前記蒸気ドラムの入口給水流量又は前記蒸気ドラムの出口蒸気流量を吸熱量として扱うことができることを特徴とする請求項１４に記載の炭素含有燃料ガス化炉の制御方法。
【請求項１６】
前記ガス化炉本体のガスの流路に冷却媒体が流れるガス化炉熱交換部を有し、
前記吸熱量と相関関係にある因子は、前記ガス化炉熱交換部の入口の給水流量又は出口の蒸気流量、前記ガス化炉熱交換部の入口及び出口の温度、並びに前記ガス化炉熱交換部の入口及び出口の圧力であることを特徴とする請求項１２に記載の炭素含有燃料ガス化炉の制御方法。
【請求項１７】
前記吸熱量の変化を該吸熱量の実測値と該吸熱量の設定値を比較及び演算によって検知し、発熱量補正係数を算出し、算出された前記発熱量補正係数に基づいて、前記燃料の供給量が制御されることを特徴とする請求項１１に記載の炭素含有燃料ガス化炉の制御方法。
【請求項１８】
前記吸熱量の設定値は、運転負荷に対する関数であることを特徴とする請求項１７に記載の炭素含有燃料ガス化炉の制御方法。
【請求項１９】
前記運転負荷は、プラント負荷指令、発電機出力指令又はガス化炉負荷指令であることを特徴とする請求項１８に記載の炭素含有燃料ガス化炉の制御方法。
【請求項２０】
炭素を含有する燃料をガス化して生成ガスとするガス化炉本体と該ガス化炉本体に設けられて冷却媒体が導かれる冷却媒体壁と、
供給される前記燃料の供給量を、前記冷却媒体壁に導かれた前記冷却媒体の吸熱量に応じて制御する制御手段と、
を備えることを特徴とする炭素含有燃料ガス化炉。
【発明の詳細な説明】
【技術分野】
【０００１】
本発明は、特に、炭素含有燃料ガス化炉で生成される生成ガスの発熱量を一定に維持することが可能なガスタービン発電プラントの制御方法、ガスタービン発電プラント、炭素含有燃料ガス化炉の制御方法及び炭素含有燃料ガス化炉に関するものである。
【背景技術】
【０００２】
石炭をガスするガス化炉と、ガス化炉において石炭をガス化して得られる石炭ガス（生成ガス）を燃焼する燃焼器と、燃焼器から導出された燃焼ガスにより駆動するガスタービンと、ガスタービンが回転駆動することにより発電する発電機とを備えたガスタービン発電プラントが知られている。
【０００３】
引用文献１には、燃焼器入口における石炭ガス中のガス成分の含有割合から石炭ガスの発熱量を求めて、ガス化炉において生成される石炭ガスの発熱量を一定に制御するガスタービン発電プラントが開示されている。
【０００４】
引用文献２には、ガス化炉に供給される空気の供給量を略一定として、発電機の実際の出力値と目標とする発電機の出力設定値との差分から、ガス化炉に供給される石炭の供給量を調整することにより、ガス化炉から導出される石炭ガスの発熱量を一定に制御するガスタービン発電プラントが開示されている。
【０００５】
特許文献３及び特許文献４には、ガス化炉においてガス化された石炭ガスの温度を計測して、ガス化炉における酸素と石炭供給量との比を補正することにより、石炭ガスの発熱量の変動を小さくして、ガスタービン発電プラント全体の運用性を向上させることが開示されている。
【先行技術文献】
【特許文献】
【０００６】
【特許文献１】特開２００４−１８７０３号公報
【特許文献２】特開２０１０−２８５５６４号公報
【特許文献３】特開２００２−１６７５８３号公報
【特許文献４】特開２００２−１４６３６６号公報
【発明の概要】
【発明が解決しようとする課題】
【０００７】
しかしながら、特許文献１から特許文献４に記載の発明では、ガス化炉の後流における石炭ガスの性状や温度、発電機出力によってガス化炉に投入され石炭の供給量を制御しているため、ガス化炉の制御に時間遅れが生じることとなる。そのため、ガス化炉から導出される石炭ガスの発熱量が大きく変化した場合には、ガスタービンが失火するおそれがある。
【０００８】
本発明は、このような事情に鑑みてなされたものであって、炭素含有燃料ガス化炉で生成される生成ガスの発熱量を一定に維持することが可能なガスタービン発電プラントの制御方法、ガスタービン発電プラント、炭素含有燃料ガス化炉の制御方法及び炭素含有燃料ガス化炉を提供することを目的とする。
【課題を解決するための手段】
【０００９】
上記課題を解決するために、本発明のガスタービン発電プラントの制御方法、ガスタービン発電プラント、炭素含有燃料ガス化炉の制御方法及び炭素含有燃料ガス化炉は、以下の手段を採用する。
すなわち、本発明に係るガスタービン発電プラントの制御方法は、炭素を含有する燃料をガス化して生成ガスとするガス化炉本体と該ガス化炉本体に設けられて冷却媒体が導かれる冷却媒体壁とを有する炭素含有燃料ガス化炉と、前記生成ガスを燃焼して燃焼ガスとする燃焼器と、該燃焼器にて生成された前記燃焼ガスによって回転駆動されるガスタービンと、該ガスタービンが回転駆動することによって発電する発電手段とを備え、前記炭素含有燃料ガス化炉は、前記冷却媒体壁に導かれた前記冷却媒体の吸熱量に応じて、前記燃料の供給量が制御されることを特徴とする。
【００１０】
一般に、炭素を含有する燃料を熱分解によってガス化する炭素含有燃料ガス化炉においては、生成ガスの組成の変化すなわち生成ガスの発熱量の変化と、ガス化炉本体内の生成ガス温度の変化とに相関関係があることが知られている。また、ガス化炉本体に冷却媒体が導かれる冷却媒体壁によってガス化炉本体が覆われている炭素含有燃料ガス化炉の場合には、ガス化炉本体内の生成ガスの温度の変化に伴い、冷却媒体の吸熱量に変化が生じることも知られている。
【００１１】
そこで、本発明では、炭素含有燃料ガス化炉の運転負荷指令に対する冷却媒体の吸熱量に基づいてガス化炉内に設置されている冷却媒体壁に供給された冷却媒体の吸熱量の変化から生成ガスの発熱量の変化を求めて、炭素含有燃料ガス化炉に供給する燃料の供給量を制御することとした。これにより、炭素含有燃料ガス化炉から導出される生成ガスの組成や発電手段の出力により炭素含有燃料ガス化炉に供給される燃料の供給量を制御する従来の場合よりも、早い段階で炭素含有燃料ガス化炉から導出される生成ガスの発熱量の変化を検知することができる。そのため、炭素含有燃料ガス化炉に投入する燃料の供給制御の時間遅れを低減して、炭素含有燃料ガス化炉から導出され、ガスタービン燃焼器に導かれる生成ガスの発熱量を略一定にすることができる。したがって、ガスタービンの失火を防止して安定した運転を行い、ガスタービン発電プラントの運転の安定性を図ることができる。
【００１２】
上記発明において、前記吸熱量の変化は、吸熱量と相関関係がある因子から求められることを特徴とする。
【００１３】
冷却媒体壁に導かれる冷却媒体の吸熱量と相関関係がある因子から、冷却媒体の吸熱量の変化を求めることとした。これにより、ガス化炉内で生成ガスの発熱量の変化を捉えることができ、炭素含有燃料ガス化炉の後流に設けられるガスタービン燃焼器に生成ガスが到達する前に炭素含有燃料ガス化炉の制御を行うことができる。そのため、炭素含有燃料ガス化炉から導出される生成ガスの状態や発電手段の出力により炭素含有燃料ガス化炉に供給される燃料の供給量を制御する場合に生じる制御の時間遅れを低減することができる。したがって、炭素含有燃料ガス化炉から導出され、ガスタービン燃焼器に導かれる生成ガスの発熱量を略一定にして導出することができる。
【００１４】
上記発明において、前記吸熱量と相関関係がある因子は、冷却媒体が導かれる前記冷却媒体壁の入口若しくは出口の冷却媒体流量、冷却媒体壁入口の冷却媒体温度、冷却媒体壁入口の冷却媒体圧力、冷却媒体壁出口の冷却媒体の温度又は冷却媒体壁出口の冷却媒体の圧力であることを特徴とする。
【００１５】
冷却媒体が導かれる冷却媒体壁の入口若しくは出口の冷却媒体流量、並びに冷却媒体壁入口の冷却媒体温度、冷却媒体壁入口の冷却媒体圧力、冷却媒体壁出口の冷却媒体の温度及び冷却媒体壁出口の冷却媒体の圧力を吸熱量に相関関係がある因子として冷却媒体の吸熱量の変化を求めることとした。これにより、炭素含有燃料ガス化炉内で生成ガスの発熱量の変動を捉えることができ、炭素含有燃料ガス化炉に供給する燃料の供給量を制御することができる。したがって、炭素含有燃料ガス化炉から導出され、ガスタービン燃焼器に導かれる生成ガスの発熱量を略一定にして導出することができる。
【００１６】
上記発明において、前記ガス化炉本体と接続される蒸気ドラムを有し、前記吸熱量と相関関係にある因子は、前記蒸気ドラムの入口給水流量又は出口蒸気流量、前記蒸気ドラムの入口給水温度及び出口蒸気温度、並びに前記蒸気ドラムの入口給水圧力及び出口蒸気圧力であることを特徴とする。
【００１７】
ガス化炉本体と蒸気ドラムとが接続されており、蒸気ドラムの入口給水流量又は出口蒸気流量、蒸気ドラムの入口給水温度及び出口蒸気温度、並びに蒸気ドラムの入口給水圧力及び出口蒸気圧力を吸熱量に相関関係がある因子として冷却媒体の吸熱量の変化を求めることとした。
【００１８】
上記発明において、前記蒸気ドラムの水位レベル及び圧力が制御され、前記蒸気ドラムの入口給水流量又は前記蒸気ドラムの出口蒸気流量を吸熱量として扱うことができることを特徴とする。
【００１９】
蒸気ドラムにて水位レベルと圧力が制御されている場合、飽和温度が一定のため、蒸気ドラムの入口給水流量又は前記蒸気ドラムの出口蒸気流量を吸熱量として扱うことができる。
【００２０】
上記発明において、前記ガス化炉本体のガスの流路に冷却媒体が流れるガス化炉熱交換部を有し、前記吸熱量と相関関係にある因子は、前記ガス化炉熱交換部の入口の給水流量又は出口の蒸気流量、前記ガス化炉熱交換部の入口及び出口の温度、並びに前記ガス化炉熱交換部の入口及び出口の圧力であることを特徴とする。
【００２１】
ガス化炉本体のガスの流路には、ガス化炉熱交換部が設けられ、ガス化炉熱交換部の入口の給水流量又は出口の蒸気流量、前記ガス化炉熱交換部の入口及び出口の温度、並びに前記ガス化炉熱交換部の入口及び出口の圧力を吸熱量に相関関係がある因子として冷却媒体の吸熱量の変化を求めることとした。
【００２２】
上記発明において、前記吸熱量の変化を該吸熱量の実測値と該吸熱量の設定値を比較及び演算によって検知し、発熱量補正係数を算出し、算出された発熱量補正係数に基づいて前記燃料の供給量が制御されることを特徴とする。
【００２３】
吸熱量の変化が、吸熱量の実測値と吸熱量の設定値を比較及び演算によって検知され、発熱量補正係数が算出される。そして、算出された発熱量補正係数に基づいて燃料の供給量が制御される。
【００２４】
上記発明において、前記吸熱量の設定値は、運転負荷に対する関数であることを特徴とする。また、上記発明において、前記運転負荷は、プラント負荷指令、発電手段出力指令又はガス化炉負荷指令であることを特徴とする。
【００２５】
吸熱量設定値は、石炭ガス化炉３において生成される生成ガスの発熱量が安定した際の吸熱量と運転負荷との関係から決定される。
【００２６】
また、本発明に係るガスタービン発電プラントは、炭素を含有する燃料をガス化して生成ガスとするガス化炉本体と該ガス化炉本体に設けられて冷却媒体が導かれる冷却媒体壁とを有する炭素含有燃料ガス化炉と、前記生成ガスを燃焼して燃焼ガスとする燃焼器と、該燃焼器にて生成された前記燃焼ガスにより回転駆動されるガスタービンと、該ガスタービンが回転駆動することによって発電する発電手段と、前記炭素含有燃料ガス化炉に供給される前記燃料の供給量を、前記冷却媒体壁に導かれた前記冷却媒体の吸熱量に応じて制御する制御手段とを備えていることを特徴とする。
【００２７】
また、本発明に係る炭素含有燃料ガス化炉の制御方法は、炭素を含有する燃料をガス化して生成ガスとするガス化炉本体と該ガス化炉本体に設けられて冷却媒体が導かれる冷却媒体壁とを有する炭素含有燃料ガス化炉を備え、前記炭素含有燃料ガス化炉は、前記冷却媒体壁に導かれた前記冷却媒体の吸熱量に応じて、前記燃料の供給量が制御されることを特徴とする。
【００２８】
また、本発明に係る炭素含有燃料ガス化炉は、炭素を含有する燃料をガス化して生成ガスとするガス化炉本体と該ガス化炉本体に設けられて冷却媒体が導かれる冷却媒体壁と、供給される前記燃料の供給量を、前記冷却媒体壁に導かれた前記冷却媒体の吸熱量に応じて制御する制御手段とを備えることを特徴とする。
【発明の効果】
【００２９】
炭素含有燃料ガス化炉の運転負荷指令に対する冷却媒体の吸熱量に基づいてガス化炉内に設置されている冷却媒体壁に供給された冷却媒体の吸熱量の変化から生成ガスの発熱量の変化を求めて、炭素含有燃料ガス化炉に供給する燃料の供給量を制御することとした。これにより、炭素含有燃料ガス化炉から導出される生成ガスの組成や発電手段の出力により炭素含有燃料ガス化炉に供給される燃料の供給量を制御する従来の場合よりも、早い段階で炭素含有燃料ガス化炉から導出される生成ガスの発熱量の変化を捉えることができる。そのため、炭素含有燃料ガス化炉に投入する燃料の供給制御の時間遅れを低減して、炭素含有燃料ガス化炉から導出され、ガスタービン燃焼器に導かれる生成ガスの発熱量を略一定にすることができる。したがって、ガスタービンの失火を防止して安定した運転を行い、ガスタービン発電プラントの運転の安定性を図ることができる。
【図面の簡単な説明】
【００３０】
【図１】本発明の第一の実施形態に係る石炭ガス化炉を備えている石炭ガス化複合発電プラントの概略構成図である。
【図２】図１に示した石炭ガス化炉における生成ガスの発熱量補正方法を示したブロック図である。
【図３】石炭ガス化炉の運転負荷に対する熱交換部における冷却媒体の吸熱量の関係を示すグラフである。
【図４】本発明の第二の実施形態に係る石炭ガス化炉を備えている石炭ガス化複合発電プラントの概略構成図である。
【図５】本発明の第三の実施形態に係る石炭ガス化炉を備えている石炭ガス化複合発電プラントの概略構成図である。
【発明を実施するための形態】
【００３１】
以下に、本発明に係る石炭ガス化炉本体を適用した石炭ガス化複合発電プラントの第一の実施形態について、図１を参照して説明する。
図１は、本実施形態に係る石炭ガス化炉本体を備えている石炭ガス化複合発電プラントの概略構成図である。
図１に示されているように、石炭ガス化複合発電プラント（ＩＧＣＣ；Integrated Coal Gasification Combined Cycle）１は、主として、石炭（炭素を含有する燃料）をガス化する石炭ガス化炉（炭素含有燃料ガス化炉）３と、石炭ガス化炉３から導出された生成ガスが導かれえるガスタービン設備５と、ガスタービン設備５のガスタービン５ｂと同一の回転軸５ｄ上に接続される蒸気タービン（図示せず。）及びガスタービン５ｂが回転駆動することにより発電する発電機Ｇと、ガスタービン設備５を通過した燃焼ガスが導かれる排熱回収ボイラ（ＨＲＳＧ）１１とを主に備えている。
【００３２】
石炭ガス化炉３の上流側には、石炭ガス化炉３へと微粉炭（燃料）を供給する石炭供給設備（図示せず。）が設けられている。この石炭供給設備は、原料炭を粉砕して数μｍ〜数百μｍの微粉炭にする粉砕機（図示せず。）を備えている。この粉砕機によって粉砕された微粉炭は、複数のホッパ（図示せず。）に貯留されるようになっている。
各ホッパに貯留された微粉炭は、一定量ずつ空気分離装置（図示せず。）から供給される窒素とともに石炭ガス化炉３へと搬送される。
【００３３】
石炭ガス化炉３は、下方から上方へとガスが流されるように形成されている石炭ガス化炉本体（ガス化炉本体）３ａと、石炭ガス化炉本体３ａを内蔵している水冷壁ダクト（冷却媒体壁）３ｂとを備えている。なお、冷却媒体壁は、水冷壁ダクトに限られず、水冷ジャケットやガスの流路に熱交換器を備えた構成でも構わない。
【００３４】
石炭ガス化炉本体３ａは、冷却媒体として水が導かれる水冷壁ダクト３ｂに外周を覆われており、その下方から、コンバスタ１３及びリダクタ１４が設けられている。コンバスタ１３は、微粉炭及びチャーの一部分を燃焼させ、残りは熱分解により揮発分（一酸化炭素、水素、低級炭化水素）として放出させる部分である。コンバスタ１３には噴流床が採用されている。しかし、流動床式や固定床式であっても構わない。
【００３５】
コンバスタ１３及びリダクタ１４には、それぞれ、コンバスタバーナー（図示せず。）及びリダクタバーナー（図示せず。）が設けられており、これらバーナーに対して石炭供給設備から微粉炭が供給される。
コンバスタバーナーには、図示しない空気昇圧機からの空気が、空気分離装置において分離された酸素とともにガス化剤（酸化剤）として供給されるようになっている。このようにコンバスタバーナーには酸素濃度が調整された空気が供給されるようになっている。
【００３６】
リダクタ１４では、コンバスタ１３からの高温ガスによって微粉炭がガス化される。これにより、微粉炭から一酸化炭素や水素等の気体燃料となる石炭ガス化ガスである生成ガスが生成される。石炭ガス化反応は、微粉炭及びチャー中の炭素が高温ガス中の二酸化炭素及び水分と反応して一酸化炭素や水素を生成する吸熱反応である。
【００３７】
石炭ガス化炉本体３ａでは、微粉炭と、ガスタービン設備５に設けられている空気圧縮機５ｃから供給される供給空気とを反応させて生成ガス（石炭ガス化ガス）を生成する。具体的には、石炭ガス化炉本体３ａの下流側には、熱交換部３ｃが設けられており、熱交換部３ｃには、複数の熱交換器（図示せず。）が設置されている。この熱交換部３ｃでは、リダクタ１４から導かれた高温ガスから顕熱を得て、熱交換器に導かれた水を蒸気として発生させるようになっている。
【００３８】
熱交換部３ｃを通過した生成ガスは、チャー回収装置９へと導かれる。このチャー回収装置９は、ポーラスフィルタ（図示せず。）を備えており、ポーラスフィルタを生成ガスが通過することによって生成ガスに混在しているチャーを捕捉して回収する。捕捉されえたチャーは、ポーラスフィルタに堆積してチャー層を形成している。チャー層には、生成ガスに含まれているＮａ分やＫ分が凝縮し、結果的にチャー回収装置９においてＮａ分及びＫ分も除去される。
【００３９】
このように回収されたチャーは、空気分離装置において分離された窒素とともに石炭ガス化炉３のコンバスタバーナーへと返送されてリサイクルされる。なお、チャーとともにコンバスタバーナーへと返送されたＮａ分やＫ分は、最終的に溶融した微粉炭の灰とともに石炭ガス化炉本体３ａの下方から排出される。溶融排出された灰は、水で急冷、粉砕されてガラス状のスラグとなる。
【００４０】
チャー回収装置９を通過した生成ガスには、一酸化炭素や水素、硫化水素の他に硫化カルボニルといった硫黄化合物が含まれている。そこで、これら硫黄化合物を除去するために、生成ガスをガス精製装置１０へと導いて精製する。ガス精製装置１０において精製された生成ガスは、燃料ガスとしてガスタービン設備５のガスタービン燃焼器５ａへと送られる。
【００４１】
ガスタービン設備５は、燃料ガスである生成ガスが燃焼するガスタービン燃焼器５ａと、ガスタービン燃焼器５ａにおいて生成ガスが燃焼することにより生じる燃焼ガスによって回転駆動されるガスタービン５ｂと、ガスタービン燃焼器５ａへと高圧空気を送り出す空気圧縮機５ｃとを備えている。ガスタービン５ｂと空気圧縮機５ｃとは、同一の回転軸５ｄによって接続されており、空気圧縮機５ｃにより圧縮された空気は、ガスタービン燃焼器５ａとは別に、前述の空気昇圧機へも導かれるようになっている。ガスタービン５ｂを通過した燃焼ガスは、排熱回収ボイラ１１へと導かれる。
【００４２】
また、ガスタービン設備５と同じ回転軸５ｄには蒸気タービンが接続されており、いわゆる一軸式のコンバインドシステムとなっている。蒸気タービンには、石炭ガス化炉３及び排熱回収ボイラ１１から高圧蒸気が供給される。なお、一軸式のコンバインドシステムに限らず、二軸式のコンバインドシステムであっても構わない。
【００４３】
ガスタービン５ｂ及び蒸気タービンによって駆動される回転軸５ｄには、電気を出力する発電機Ｇが設けられている。なお、発電機Ｇの配置位置については、回転軸５ｄから電力が得られるようであればどの位置であっても構わない。
【００４４】
ガスタービン５ｂを通過した燃焼ガスは、排熱回収ボイラ１１へと導かれて蒸気タービンに供給される蒸気を発生する。蒸気を発生させた燃焼ガスは、排熱回収ボイラ１１から煙突１２へと導かれて、煙突１２から大気へと放出される。
【００４５】
次に、上記構成の石炭ガス化炉３を備えている石炭ガス化複合発電プラント（ガスタービン発電プラント）１の動作について説明する。
原料炭は、粉砕機で粉砕された後、ホッパへと導かれて貯留される。ホッパに貯留された微粉炭は、空気分離装置において分離された窒素とともに、石炭ガス化炉３のリダクタバーナー及びコンバスタバーナーへと供給される。さらに、コンバスタバーナーには、微粉炭だけではなく、チャー回収装置９において回収されたチャーが供給される。
【００４６】
コンバスタバーナーの燃焼用気体としては、ガスタービン設備５に設けられている空気圧縮機５ｃから抽気された圧縮空気を空気昇圧機によって更に昇圧した圧縮空気に、空気分離装置において分離された酸素が添加された空気が使用される。コンバスタ１３では、微粉炭及びチャーが燃焼用空気によって部分燃焼させられ、残部は、揮発分（一酸化炭素、水素、低級炭化水素）へと熱分解される。
【００４７】
リダクタ１４では、リダクタバーナーから供給された微粉炭及びコンバスタ１３内で揮発分を放出したチャーが、コンバスタ１３から上昇してきた高温ガスによりガス化され、一酸化炭素や水素などの可燃性の生成ガスが生成される。
【００４８】
リダクタ１４を通過した生成ガスは、石炭ガス化炉３の水冷壁ダクト３ｂを流れる水によってその熱が吸熱されて、石炭ガス化炉本体３ａの下流側に設けられている熱交換部３ｃへと導かれる。熱交換部３ｃに導かれた生成ガスは、各熱交換器にその顕熱を与えて蒸気を発生させる。熱交換部３ｃで発生した蒸気は、主として、蒸気タービンを駆動するために用いられる。熱交換部３ｃを通過した生成ガスは、チャー回収装置９へと導かれてチャーが回収される。生成ガス中のＮａ分及びＫ分は、ここで凝縮されてチャーに取り込まれる。回収されたＮａ分及びＫ分を含んでいるチャーは、石炭ガス化炉本体３ａへと返送される。
【００４９】
チャー回収装置９を通過した生成ガスは、ガスタービン設備５に設けられているガスタービン燃焼器５ａへと導かれ、空気圧縮機５ｃから供給される圧縮空気と共に燃焼される。この燃焼によって生じた燃焼ガスによってガスタービン５ｂが回転駆動して、回転軸５ｄが駆動する。
【００５０】
ガスタービン５ｂを通過した燃焼ガスは、排熱回収ボイラ１１へと導かれて、この燃焼ガスの排熱を利用することによって蒸気が発生させられる。排熱回収ボイラ１１において発生した蒸気は、主として、蒸気タービンの回転駆動のために用いられる。
【００５１】
蒸気タービンは、石炭ガス化炉３からの蒸気及び排熱回収ボイラ１１からの蒸気によって回転駆動させられて、ガスタービン設備５の回転軸５ｄを駆動する。蒸気タービンによる回転軸５ｄの回転力は、発電機Ｇによって電気出力へと変換される。
【００５２】
次に、本発明に係る石炭ガス化炉本体を適用した石炭ガス化複合発電プラントの第二の実施形態について、図４を参照して説明する。
図４は、石炭ガス化炉３の構成を示している。この第二の実施形態は、図１に示した第一の実施形態のうち石炭ガス化炉３に蒸気ドラム３ｄを有する構成としたものである。その他の構成は、図１に示した第一の実施形態と同一であるので、同一構成要素には同一符号を付しその説明は省略する。
【００５３】
石炭ガス化炉３に蒸気ドラム３ｄを有する構成では、冷却媒体である水は蒸気ドラム３ｄに供給され、蒸気ドラム３ｄと水冷壁ダクト３ｂ及び熱交換部３ｃとを循環し、水冷壁ダクト３ｂ及び熱交換部３ｃにおいて生成ガスの顕熱を得て発生した蒸気のみが蒸気ドラム３ｄから後流へと導かれ、発生した蒸気は、主として、蒸気タービンを駆動するために用いられる。
【００５４】
次に、本発明に係る石炭ガス化炉本体を適用した石炭ガス化複合発電プラントの第三の実施形態について、図５を参照して説明する。
図５は石炭ガス化炉３の構成を示している。この第三の実施形態は、図１に示した第一の実施形態のうち石炭ガス化炉本体３ａのガスの流路に冷却媒体である水が流れるガス化炉熱交換部３ｅを有する構成としたものである。なお、ガス化炉熱交換部３ｅには複数の熱交換器（図示せず。）が設置されている。また、石炭ガス化炉３は水冷壁ダクト３ｂを有していても構わない。その他の構成は、図１に示した第一の実施形態と同一であるので、同一構成要素には同一符号を付しその説明は省略する。
【００５５】
次に、上述した石炭ガス化複合発電プラント１における石炭ガス化炉３の制御方法について、図１から図５を参照して説明する。
図２は、図１、図４及び図５に示す石炭ガス化炉３にて生成される生成ガスの発熱量補正方法を示したブロック図である。図３は、縦軸に石炭ガス化炉３の水冷壁ダクト３ｂを通過する水の吸熱量を示し、横軸に石炭ガス化炉３の運転負荷指令を示すグラフである。ここで、図３の吸熱量設定値は、石炭ガス化炉３において生成される生成ガスの発熱量が安定した際の吸熱量と運転負荷との関係を示している。
【００５６】
石炭ガス化炉３に供給される微粉炭は、石炭ガス化炉３へと微粉炭を供給する供給配管（図示せず。）上に設けられた、石炭ガス化炉３への微粉炭投入量（燃料供給量）を調節する微粉炭流量弁（図示せず。）によって、微粉炭投入量が調節される。
【００５７】
この微粉炭流量弁は、石炭ガス化炉３に設けられている制御器（図示せず。）によって、石炭ガス化炉３に供給する微粉炭の投入量が、石炭ガス化炉３の水冷壁ダクト３ｂに導かれた水の吸熱量に応じて制御されるようになっている。
【００５８】
具体的には、発電機Ｇの出力設定値によって制御器（制御手段）が、図２に示すように、石炭ガス化炉入力指令値（ガス化炉入力指令値）を算出する。また、石炭ガス化炉３の運転負荷指令に対する水の吸熱量設定値である冷却媒体吸熱量設定値を図３のグラフから求める。
【００５９】
さらに、図１に示す第一の実施形態では、石炭ガス化炉３の水冷壁ダクト３ｂの入口の給水流量又は出口の蒸気流量、水冷壁ダクト３ｂの入口及び出口の水の温度、水冷壁ダクト３ｂの入口及び出口の圧力が計測される。
【００６０】
ここで、図４に示す第二の実施形態のように、石炭ガス化炉３が蒸気ドラム３ｄを有する構成においては、蒸気ドラム３ｄの入口の給水流量又は出口の蒸気流量、蒸気ドラム３ｄの入口及び出口の温度、蒸気ドラム３ｄの入口及び出口の圧力が計測される。
【００６１】
また、図５に示す第三の実施形態のように、石炭ガス化炉本体３ａのガスの流路に冷却媒体である水が流れるガス化炉熱交換部３ｅを有する構成においては、ガス化炉熱交換部３ｅの入口の給水流量又は出口の蒸気流量、ガス化炉熱交換部３ｅの入口及び出口の温度、ガス化炉熱交換部３ｅの入口及び出口の圧力が計測される。
【００６２】
これら計測された水の出入口温度差、水の入口又は出口の流量、水の出入口圧力、比熱を用いて、図２に示される水の実際の吸熱量である冷却媒体吸熱量を算出する。すなわち、吸熱量は、エンタルピの変化量に流量を掛けることで算出する。そのエンタルピ変化量を求めるには、入口、出口のエンタルピをそれぞれ求める必要があるため、出入口の温度、出入口の圧力、比熱が必要である。そして、流量に関しては、入口又は出口のいずれか一方でよい。但し、蒸気ドラム３ｄを有する構成で、蒸気ドラム３ｄの水位レベル及び圧力を制御している場合は、飽和温度が一定のため、蒸気ドラム３ｄの入口給水流量又は蒸気ドラム３ｄの出口蒸気流量を吸熱量として扱うことができる。この算出された冷却媒体吸熱量と、図３のグラフから求められた冷却媒体吸熱量設定値とを比較することによって、吸熱量の変化が検知されることから、吸熱量の実測値と吸熱量の設定値を比較及び演算によって発熱量補正係数を算出する。
【００６３】
このようにして求められた発熱量補正係数によって、前述した石炭ガス化炉入力指令値を補正して石炭ガス化炉３に投入される微粉炭の投入量を算出する。微粉炭流量弁は、石炭ガス化炉３に、算出された微粉炭投入量が投入されるようにその開度が制御される。
【００６４】
以上の通り、本実施形態に係る石炭ガス化複合発電プラント１及びその制御方法によれば、以下の作用効果を奏する。
石炭ガス化炉（炭素含有燃料ガス化炉）３の運転負荷指令に対する石炭ガス化炉３の水冷壁ダクト（冷却媒体壁）３ｂに導かれた水（冷却媒体）の吸熱量に基づいて水冷壁ダクト３ｂに供給された水の吸熱量の変化から生成ガスの発熱量の変化を求めて、石炭ガス化炉３に供給する微粉炭の投入量を制御することとした。これにより、石炭ガス化炉３から導出される生成ガスの組成や発電機（発電手段）Ｇの出力により石炭ガス化炉３に供給される微粉炭の投入量を制御する従来の場合よりも、早い段階で石炭ガス化炉３から導出される生成ガスの発熱量の変化を捉えることができる。そのため、石炭ガス化炉３に投入する微粉炭の投入制御の時間遅れを低減して、石炭ガス化炉３から導出される生成ガスの組成やガスタービン設備５のガスタービン燃焼器５ａに導かれる生成ガスの発熱量を略一定にすることができる。したがって、ガスタービン５ｂの失火を防止して安定した運転を行い、石炭ガス化複合発電プラント(ガスタービン発電プラント)１の運転の安定性を図ることができる。
【００６５】
石炭ガス化炉３に導かれた水の吸熱量と相関関係がある因子から水の吸熱量の変化を求めることとした。これにより、石炭ガス化炉３の後流に設けられているガスタービン燃焼器５ａに生成ガスが到達する前に石炭ガス化炉３の制御を行うことができる。そのため、石炭ガス化炉３から導出される生成ガスの状態や発電機Ｇの出力により石炭ガス化炉３に供給される微粉炭の投入量を制御する場合に生じる制御の時間遅れを低減することができる。したがって、石炭ガス化炉３から導出され、ガスタービン燃焼器５ａに導かれる生成ガスの発熱量を略一定にして導出することができる。
【００６６】
石炭ガス化炉３の水冷壁ダクト３ｂの入口の給水流量又は出口の蒸気流量、水冷壁ダクト３ｂの入口及び出口の水の温度、水冷壁ダクト３ｂの入口及び出口の圧力を吸熱量と相関関係がある因子として水の吸熱量を求めることとした。これにより、石炭ガス化炉３から導出される生成ガスの発熱量の変動を早い段階で捉え、石炭ガス化炉３に投入される微粉炭の投入量を制御することができる。したがって、石炭ガス化炉３から導出され、ガスタービン燃焼器５ａに導かれる生成ガスの発熱量を略一定にして導出することができる。
【００６７】
ただし、図４に示す第二の実施形態のように、石炭ガス化炉３が蒸気ドラム３ｄを有する構成においては、蒸気ドラム３ｄの入口の給水流量又は出口の蒸気流量、蒸気ドラム３ｄの入口及び出口の温度、蒸気ドラム３ｄの入口及び出口の圧力を吸熱量と相関関係がある因子として吸熱量を求められる。さらに、蒸気ドラム３ｄ有する構成で、蒸気ドラム３ｄの水位レベル及び圧力を制御している場合は、飽和温度が一定のため、蒸気ドラム３ｄの入口給水流量又は蒸気ドラム３ｄの出口蒸気流量にて吸熱量として扱うことができる。
【００６８】
また、図５に示す第三の実施形態のように、石炭ガス化炉本体３ａのガスの流路に水が流れるガス化炉熱交換部３ｅを有する構成においては、ガス化炉熱交換部３ｅの入口の給水流量又は出口の蒸気流量、ガス化炉熱交換部３ｅの入口及び出口の温度、ガス化炉熱交換部３ｅ入口及び出口の圧力を吸熱量と相関関係がある因子として吸熱量を求められる。
【００６９】
なお、本実施形態の図３で示した石炭ガス化炉３の運転負荷に対する冷却媒体の吸熱量の関係を示すグラフは、石炭（微粉炭）の性状（種類）や石炭ガス化炉３に供給されるガス化剤の投入量に応じて補正できるようにしてもよい。
また、石炭ガス化炉３の運転負荷の代わりにガスタービン５ｂの出力や石炭ガス化複合発電プラント１全体の運転負荷としてもよい。
さらに、本実施形態では、燃料として石炭（微粉炭）を用いて説明したが、炭素を含有するごみや廃タイヤであってもよい。
【符号の説明】
【００７０】
１  石炭ガス化複合発電プラント（ガスタービン発電プラント）
３  石炭ガス化炉（炭素含有燃料ガス化炉）
３ａ  石炭ガス化炉本体（ガス化炉本体）
３ｂ  水冷壁ダクト（冷却媒体壁）
３ｃ  熱交換部
３ｄ  蒸気ドラム
３ｅ  ガス化炉熱交換部
５  ガスタービン設備
５ａ  ガスタービン燃焼器（燃焼器）
５ｂ  ガスタービン
５ｃ  空気圧縮機
５ｄ  回転軸
９  チャー回収装置
１０  ガス精製装置
１１  排熱回収ボイラ
１２  煙突
１３  コンバスタ
１４  リダクタ
Ｇ  発電機（発電手段）
【図１】
0005804888.tif 000002
【図２】
0005804888.tif 000003
【図３】
0005804888.tif 000004
【図４】
0005804888.tif 000005
【図５】
0005804888.tif 000006